(57)【要約】【課題】  内臓脂肪量の測定精度が向上し、また、データベースを設けない場合でも被測定者の内臓脂肪量を簡単に推定することができる。【解決手段】  被測定者の胴部Ｗに接触する複数の電極１と、光照射部２と光センサ３とを備える。電極１間のインピーダンス値を測定するインピーダンス測定手段４と、光照射部２と光センサ３とにより被測定者の皮下脂肪厚を測定する皮下脂肪厚測定手段５と、インピーダンス測定手段４で計測したインピーダンスに基づいて求めた被測定者の総脂肪量から、皮下脂肪厚測定手段５で測定した皮下脂肪厚に基づいて求めた皮下脂肪量を減じて被測定者の内臓脂肪量を求める体脂肪推定手段６とを設ける【選択図】        図１
2006204450.tif 000002
【特許請求の範囲】
【請求項１】
被測定者の胴部に接触する複数の電極と、光照射部と光センサとを備え、電極間のインピーダンス値を測定するインピーダンス測定手段と、光照射部と光センサとにより被測定者の皮下脂肪厚を測定する皮下脂肪厚測定手段と、インピーダンス測定手段で計測したインピーダンスに基づいて求めた被測定者の総脂肪量から、皮下脂肪厚測定手段で測定した皮下脂肪厚に基づいて求めた皮下脂肪量を減じて被測定者の内臓脂肪量を求める体脂肪推定手段とを設けて成ることを特徴とする体脂肪測定装置。
【請求項２】
被測定者の胴部の異なる対向位置に接触させるための複数組の電極を備えたことを特徴とする請求項１記載の体脂肪測定装置。
【請求項３】
被測定者の胴部の異なる位置において被測定者の皮下脂肪厚を測定するための光照射部と光センサを複数組備えたことを特徴とする請求項１又は請求項２の記載の体脂肪測定装置。
【請求項４】
被測定者の胴部の周方向に沿って配置する支持部材を設け、該支持部材に対して光照射部と光センサとを移動可能として成ることを特徴とする請求項１乃至請求項３のいずれかに記載の体脂肪測定装置。
【請求項５】
電極と、光照射部と光センサとが１箇所にまとめて設けてあることを特徴とする請求項１乃至請求項４のいずれかに記載の体脂肪測定装置。
【請求項６】
被測定者の胴部に装着するための帯状の支持部材を設け、該支持部材に電極と、光照射部と光センサとを備え、支持部材を被測定者の胴部に装着する際の押圧を調整する押圧調整手段を設けて成ることを特徴とする請求項１乃至請求項５のいずれかに記載の体脂肪測定装置。
【発明の詳細な説明】
【技術分野】
【０００１】
本発明は、人体の体脂肪を測定するための体脂肪測定装置に関するものである。
【背景技術】
【０００２】
従来から人体の体脂肪（皮下脂肪、内臓脂肪）を安全且つ簡便に測定する方法として生体インピーダンス（ＢＩ）測定を利用した技術や、筋肉と脂肪の吸収率の差を利用して光を照射して受光部で受光される量により皮下脂肪を測定する技術が知られている。
【０００３】
例えば、特許文献１には被測定者の胴部の周囲に複数の電極を配置し、特定の電極間に電流を流すことにより発生する電圧を測定し、インピーダンスを算出し、脂肪量を算出する体脂肪測定装置が開示してある。
【０００４】
また、光による人体の皮下脂肪を測定する手段としては、特許文献２に示される皮下脂肪厚を測定する技術が知られている。
【０００５】
一方、特許文献３にはインピーダンス法及び超音波等の手段を用いた皮下脂肪厚測定から内臓脂肪を算出する技術が開示してある。
【０００６】
また、特許文献４では皮下脂肪厚測定として光方式による測定手段が開示してある。
【０００７】
しかしながら、上記特許文献１に示された従来例においては、被測定者の胴部の総脂肪量を測定し、その結果から総脂肪量と内臓脂肪量の相関から内臓脂肪量を推定するようになっている。この場合、インピーダンス測定では内臓脂肪・皮下脂肪の分離はできず、個人の身体情報（身長、胴囲等）からの推定で分離している。
【０００８】
また、特許文献１には他の方法として、電流印加用電極を胴部正面、背面に配置し、電圧測定用電極を胴部側面に配置して、その間の電圧を測定し、そこから内臓脂肪量を算出する方法も開示してある。
【０００９】
上記特許文献１に示す従来例においては、電圧測定用電極の位置により測定値が変化し、いろいろな胴部形状、胴囲を持つ被測定者の個体差でのばらつきによる誤差が大きくなる。
【００１０】
また、特許文献２に示す従来例では、あくまで皮下脂肪厚が測定できるだけで、基本的には内臓脂肪量を求めることができない。
【００１１】
また、特許文献３、４に示す従来例においては、どちらもインピーダンス法の測定箇所は手足に電極を設けて総脂肪量を求めている。このため、特許文献３、４のいずれにおいても、測定対象部位を直接的に計測しておらず、総脂肪量は相関を利用して算出しており、測定精度の点で問題がある。
【００１２】
また、上記インピーダンス法により総脂肪量を算出するものにおいては、電極を手足に設けて測定したインピーダンスと体脂肪量の関係のデータベースを作成し、このデータベースに基づいて手足で測定したインピーダンスから総脂肪量を算出するもので、データベースの作成が必要で、しかも、このデータベースを作成するには大変な作業になるという問題があった。
【特許文献１】特許第３３９６６６３号公報
【特許文献２】特許第３０３５７９１号公報
【特許文献３】特開２０００−３５０７１０号公報
【特許文献４】特開２００３−１６９７８３号公報
【発明の開示】
【発明が解決しようとする課題】
【００１３】
本発明は上記の従来の問題点に鑑みて発明したものであって、内臓脂肪量の測定精度が向上し、また、データベースを設けない場合でも被測定者の内臓脂肪量を簡単に推定することができる体脂肪測定装置を提供することを課題とするものである。
【課題を解決するための手段】
【００１４】
上記課題を解決するために本発明に係る体脂肪測定装置は、被測定者の胴部Ｗに接触する複数の電極１と、光照射部２と光センサ３とを備え、電極１間のインピーダンス値を測定するインピーダンス測定手段４と、光照射部２と光センサ３とにより被測定者の皮下脂肪厚を測定する皮下脂肪厚測定手段５と、インピーダンス測定手段４で計測したインピーダンスに基づいて求めた被測定者の総脂肪量から、皮下脂肪厚測定手段５で測定した皮下脂肪厚に基づいて求めた皮下脂肪量を減じて被測定者の内臓脂肪量を求める体脂肪推定手段６とを設けて成ることを特徴とするものである。
【００１５】
被測定者の胴部Ｗの測定対象部位をインピーダンス方式を用いて直接測定して胴部総脂肪量を直接測定し、なおかつ胴部Ｗの測定対象部位の皮下脂肪厚を直接光照射部２と光センサ３とにより直接測定してその値から皮下脂肪量を算出し、上記測定対象部位を直接測定して求めた胴部総脂肪量から測定対象部位を直接測定して求めた皮下脂肪量を減じることで、内臓脂肪量を算出することができる。この場合、身体的特徴をパラメータとして補正することで内臓脂肪量を算出する場合、上記パラメータの一つとして光照射部２と光センサ３とで測定した測定対象部位の皮下脂肪厚（又は皮下脂肪量）を採用できて、より精度よく内臓脂肪量を推定することができる。また、データベースがなくても、測定対象部位である胴部Ｗを直接測定して求めた総脂肪量から皮下脂肪量を減ずるだけで、データベース無しで簡単に内臓脂肪量を推定することができる。
【００１６】
また、被測定者の胴部Ｗの異なる対向位置に接触させるための複数組の電極１を備えることが好ましい。
【００１７】
このような構成とすることで、体脂肪の形状を考慮することが可能となり、測定精度が向上することになる。
【００１８】
また、被測定者の胴部Ｗの異なる位置において被測定者の皮下脂肪厚を測定するための光照射部２と光センサ３を複数組み備えることが好ましい。
【００１９】
このような構成とすることで、測定対象部位における皮下脂肪の厚さ分布がわかり、測定対象部位における皮下脂肪の厚さ分布を考慮することが可能となり、体脂肪の測定精度が向上することになる。
【００２０】
また、被測定者の胴部Ｗの周方向に沿って配置する支持部材７を設け、該支持部材７に対して光照射部２と光センサ３とを移動可能とすることが好ましい。
【００２１】
光照射部２と光センサ３とを被測定者の胴部Ｗに沿って取付けた支持部材７に対して移動して各移動位置で皮下脂肪の厚さを測定することができ、これにより胴部Ｗ全体の皮下脂肪の厚さ分布を考慮することが可能となり、体脂肪の測定精度が向上することになる。
【００２２】
また、電極１と、光照射部２と光センサ３とが１箇所にまとめて設けてあることが好ましい。
【００２３】
このような構成とすることで、インピーダンスを測定した部位と同一箇所の皮下脂肪厚を測定できて精度よく体脂肪量の計測ができ、また、インピーダンスによる測定と光方式による測定をほぼ同時に測定することが可能となり、被測定者が同一姿勢をしている時の測定となって、安定したインピーダンスの測定、皮下脂肪厚の測定ができ、更に、電極１と、光照射部２と光センサ３とを同一部材の同一箇所にまとめて配置でき、体脂肪測定装置の部品点数が低減でき、取扱いも容易となる。
【００２４】
また、被測定者の胴部Ｗに装着するための帯状の支持部材７を設け、該支持部材７に電極１と、光照射部２と光センサ３とを備え、支持部材７を被測定者の胴部Ｗに装着する際の押圧を調整する押圧調整手段を設けることが好ましい。
【００２５】
このような構成とすることで、インピーダンスの測定と、光照射による皮下脂肪の厚さの測定をそれぞれ被測定者の胴部Ｗへの最適の押圧状態で実施することができ、測定精度が向上する。
【発明の効果】
【００２６】
本発明は、内臓脂肪量を簡単に求めることができる。ここで、身体的特徴をパラメータとして補正することで内臓脂肪量を算出する場合、上記パラメータの一つとして光照射部と光センサとで測定した測定対象部位の皮下脂肪厚（又は皮下脂肪量）を採用できて、より精度よく内臓脂肪量を推定することができる。また、データベースが無くても、測定対象部位である胴部を直接測定して求めた総脂肪量から、測定対象部位である胴部を直接測定して求めた皮下脂肪量を減ずるだけで、データベース無しで簡単に内臓脂肪量を推定できる。
【発明を実施するための最良の形態】
【００２７】
以下、本発明を添付図面に示す実施形態に基いて説明する。
【００２８】
図１、図２、図３には本発明の一実施形態が示してある。図１にはインピーダンス測定装置８の概略構成図が示してあり、図２には光式皮下脂肪測定装置９の概略構成図が示してあり、図３には制御ブロック図が示してある。
【００２９】
インピーダンス測定装置８には被測定者の胴部Ｗに接触させるための複数の電極１が設けてある。この複数の電極１は、被測定者の胴部Ｗに接触させるためのインピーダンス測定電流用の対となった電極１ａと、被測定者の胴部Ｗに接触させるための電圧計測用の対となった電極１ｂである。また、インピーダンス測定装置８には、上記インピーダンス測定電流用の対となった電極１ａに電流を流す電流源１０と、電圧計測用の対となった電極１ｂ間に発生した電圧を測定する電圧計１２と、電極１間に流れる電流と、電圧計１２で測定した電圧に基づいて対となる電極１間のインピーダンス値を測定するインピーダンス測定手段４とを備えている。
【００３０】
被測定者の計測対象部位である胴部Ｗの断面を模式的に表現すると、図１に示すように外周部に皮下脂肪１３があり、皮下脂肪１３の内側に筋肉１４があり、更に筋肉１４の内側に内臓脂肪１５が存在するというように表現できる。
【００３１】
ここで、上記インピーダンス測定装置８の一対のインピーダンス測定電流用の電極１ａを被測定者の計測対象部位である胴部Ｗに接触させ、一対の電圧計測用の電極１ｂを胴部Ｗに接触させる。この場合、一対のインピーダンス測定用の電極１ａは該電極１ａを通して胴部Ｗに電流を流した場合、電流が内臓脂肪１５を通るように胴部Ｗを挟んで対向する位置において胴部Ｗにそれぞれ接触させる。また、添付図面に示す実施形態では一対の電圧計測用の電極１ｂは胴部Ｗを挟んで対向する位置となるように上記一対のインピーダンス測定用の電極１ａの傍に位置させてある。
【００３２】
電流源１０からインピーダンス測定電流用の電極１ａを通して被測定者の胴部Ｗに電流が流れて、電圧が発生する。この電圧を電圧計１２により測定し、電極１ａ間に流れる電流と、電圧計１２で測定した電圧に基づいて対となる電極１ａ間のインピーダンス値を算出する。
【００３３】
この場合、胴部Ｗを挟んで対向する一対のインピーダンス測定電流用の電極１ａ間に胴部Ｗを通して流れる電流は、図１の矢印のように広がりをもって流れ、このため、算出されたインピーダンスは胴部Ｗを挟んで対向する部位間の合成インピーダンスとなり、胴部Ｗ断面の総脂肪量に基づいた値となる。
【００３４】
したがって総脂肪量（皮下脂肪＋内臓脂肪）が多ければ、上記合成インピーダンスは大きくなり、総脂肪量が少なければ合成インピーダンスは小さくなる。
【００３５】
一方、光式皮下脂肪測定装置９は、胴部Ｗの表面から胴部Ｗの組織内に光を照射する光照射部２と、胴部Ｗ組織からの反射光を受光する光センサ３と、光センサ３での受光情報に基づいて被測定者の胴部Ｗの皮下脂肪厚を測定する皮下脂肪厚測定手段５とを備えている。光照射部２としては例えば赤外線を照射するもので赤外線発光素子が使用できる。
【００３６】
添付図面に示す実施形態では光センサ３は光照射部２の傍に位置させてある。
【００３７】
光照射部２と光センサ３とは被測定者の計測対象部位である胴部Ｗに接触させるものであり、光照射部２から出た光は皮下脂肪１３で散乱し、その内側の筋肉１４で吸収される。したがって、光照射部２から出た光は皮下脂肪１３が薄い場合は、皮膚の表面方向への拡散は少なく、皮膚の表面の方に戻る光は少なくまた広がりも少ない。このため、光センサ３に届く光量は少なくなる。一方、皮下脂肪１３が厚い場合は、光照射部２から出た光の散乱が多くなり、皮膚の表面の方に戻る光も多くなりまた広がりも大きい。このため、光センサ３に届く光量は多くなる。
【００３８】
上記光センサ３での受光情報に基づき皮下脂肪厚測定手段５で皮下脂肪１３の厚みが算出されるもので、このようにすることで被測定者の計測対象部位である胴部Ｗの皮下脂肪厚を直接測定することができる。
【００３９】
上記のようにして被測定者の計測対象部位である胴部Ｗをインピーダンス測定装置８によって直接測定して求められたインピーダンスと、光式皮下脂肪測定装置９によって計測対象部位である胴部Ｗを直接測定して求められた胴部Ｗの皮下脂肪厚のデータに基づき、体脂肪推定手段６でインピーダンスに基づいて被測定者の総脂肪量を求め、更に、皮下脂肪厚に基づいて皮下脂肪量を求め、このようにして求めた総脂肪量から皮下脂肪量を減じて被測定者の内臓脂肪量を求めるようになっており、求められた被測定者の内臓脂肪量が表示手段１６により表示されるようになっている。
【００４０】
ここで、上記内臓脂肪量を求めるに当たって、被測定者の身長や胴囲等の身体的特徴により補正することで内臓脂肪量の推定が精度よくできる。このため、身長や胴囲等の身体的特徴と体脂肪量との関係のデータをデータベースに蓄積し、データベースのデータに基づいて被測定者の身長や胴囲等の身体的特徴に対応した補正をするのであるが、この場合、本発明においては、データベースに蓄積するデータとして身長や胴囲等のデータに加え、更に、皮下脂肪厚（皮下脂肪量）に関するデータを蓄積しておき、被測定者の身長や胴囲等に加え更に上記のように光式皮下脂肪測定装置９により直接測定した被測定者の皮下脂肪厚（皮下脂肪量）に基づいて内臓脂肪量を補正することで、より精度よく被測定者の内臓脂肪量を推定することができる。
【００４１】
また、データベースを設けない場合であっても、人体の胴部Ｗを例えば、外側に皮下脂肪１３があり、皮下脂肪１３の内側に筋肉１４があり、更に筋肉１４の内側に内臓脂肪１５が存在するという図１の模式図に示すようなモデルとして採用することで、体脂肪推定手段６でインピーダンスに基づいて被測定者の総脂肪量を求め、更に、皮下脂肪厚に基づいて皮下脂肪量を求め、このようにして求めた総脂肪量から皮下脂肪量を減じる計算を行うのみでデータベースを設けなくても内臓脂肪量を簡単に推定できる。
【００４２】
上記実施形態では皮下脂肪厚測定部位を胴部Ｗの１箇所で求めたが、これを胴部Ｗの複数箇所（臍部、背面、側面等）で測定することで、胴部Ｗの周長上での皮下脂肪分布がわかるので、皮下脂肪量の測定精度が上がり、その結果内臓脂肪量の算出の精度も向上できることになる。
【００４３】
更に、インピーダンス測定を、図４のように複数箇所で行うようにしてもよい。すなわちインピーダンス測定電流用の対となった電極１ａを複数組設け（図４の実施形態ではインピーダンス測定電流用の対となった電極１ａを２組設けてある）、複数組の対となったインピーダンス測定電流用の電極１ａで測定対象部位である胴部Ｗの異なる位置に接触させるようにしている。例えば、一方の組の対となったインピーダンス測定電流用の電極１ａを胴部Ｗの前後面に胴部Ｗを挟むようにして接触させると共に他方の組の対となったインピーダンス測定電流用の電極１ａを胴部Ｗの左右側面に胴部Ｗを挟むようにして接触させる。また、図４の実施形態では電圧計測用の対となった電極１ｂを複数組設け（図４の実施形態では電圧計測用の対となった電極１ｂを２組設けてある）、複数組のインピーダンス測定電流用の電極１ａの傍にそれぞれ対応する複数組みの電圧計測用の対となった電極１ｂを位置させてある。
【００４４】
そして、一方の対となったインピーダンス測定電流用の電極１ａ間に電流を流し、一方の対となった電圧計測用の対となった電極１ｂ間の電圧を電圧計１２で計測してインピーダンスを求め、スイッチ１９ａ、１９ｂを切り換えることで、他方の対となったインピーダンス測定電流用の電極１ａ間に電流を流し、他方の対となった電圧計測用の対となった電極１ｂ間の電圧を電圧計１２で計測してインピーダンスを求めることができるようになっており、このようにすることで、二次元的に体脂肪量がわかり、簡単に皮下脂肪分布、内臓脂肪分布を画像化して表示手段１６で画像として表示することが可能となり、被測定者に視覚的に皮下脂肪量、内臓脂肪量を提示することができ、被測定者も理解し易い。
【００４５】
図５には本発明の他の実施形態を示してある。
【００４６】
本実施形態では、上記インピーダンス測定装置８における胴部Ｗに接触させる電極１ａ、１ｂと、光式皮下脂肪測定装置９の光照射部２と光センサ３とを１箇所にまとめて設けた例である。つまり、プローブ２０の胴部Ｗへの接触面２１に電極１ａ、１ｂと、光照射部２及び光センサ３とを１箇所にまとめて設けてあり、このようにすることで、インピーダンス測定部位と皮下脂肪測定部位とが同一箇所となり、インピーダンスを測定した部位と同一箇所の皮下脂肪厚が測定できるようになって、より精度よく体脂肪量の計測ができることになる。
【００４７】
更に、インピーダンスによる測定と光方式による測定をほぼ同時に測定できるので、被測定者が同一姿勢をしている時の測定となり、安定したインピーダンスの測定、皮下脂肪厚の測定ができて、より高精度で総脂肪量、皮下脂肪量、内臓脂肪量を測定することができる。
【００４８】
しかも、プローブ２０の胴部Ｗへの接触面２１に電極１ａ、１ｂと、光照射部２及び光センサ３とを１箇所にまとめて設けることで、体脂肪測定装置の部品点数が低減でき、取扱いも容易となり、測定時間も短縮できて被測定者への負荷も軽くなる。
【００４９】
図６には本発明の更に他の実施形態が示してある。
【００５０】
図６において７は支持部材であり、この支持部材７は変形性を有する帯状をした長尺のもので、被測定者の胴部Ｗの周方向に沿って配置することができるようになっている。支持部材７には図示を省略しているが、胴部Ｗの周方向に沿って配置した状態で胴部Ｗに着脱自在に装着するための手段が設けてある。この支持部材７にその長手方向に沿って光照射部２と光センサ３とを移動可能に取付けてある。図６に示す実施形態では、支持部材７は内周面部の中央に内方に向けて内側突条２２が突設してあり、プローブ２０にはコ字状溝部２３が設けてあって、プローブ２０のコ字状溝部２３を帯状をした支持部材７に支持部材７の長手方向に沿って移動自在に嵌め込んである。プローブ２０にはコ字状溝部２３の内側開口部の上下両端部からそれぞれ突片部２４を対向するように突設してあり、上下の突片部２４のうち一方には光照射部２が設けてあると共に他方に光センサ３が設けてあり、該上下の突片部２４間に上記支持部材７の内側突条２２が位置していて、上下の突片部２４と内側突条２２とはほぼ面一となっており、これにより、支持部材７を被測定者の胴部Ｗに沿わせて接触させた場合に光照射部２と光センサ３とが胴部Ｗに接触するようになっている。
【００５１】
この実施形態においては、帯状をした支持部材７を被測定者の胴部Ｗの周方向に沿って配置して装着した状態で、プローブ２０を支持部材７に沿って移動することで胴部Ｗの周囲に沿ってプローブ２０を移動して、逐次受光量を測定することができる。これにより測定胴部Ｗの断面での皮下脂肪厚を胴部Ｗの周囲の各部位ごとに正確に測定でき、正確な皮下脂肪量を求めることができる。
【００５２】
この場合、プローブ２０の移動量を計測する手段を設けてもよく、プローブ２０の移動量を計測すると胴部Ｗの周長を自動的に計測でき、皮下脂肪厚情報、胴部Ｗの周長情報から皮下脂肪量を算出することができる。
【００５３】
また、加速度センサ等を用いてプローブ２０の移動量、移動方向を測定すれば、胴部Ｗの輪郭形状情報がわかり、画像化の際により詳細な画像が描けることになる。
【００５４】
図７には本発明の更に他の実施形態が示してある。
【００５５】
本実施形態においては、被測定者の胴部Ｗに装着するための変形性を有する帯状の支持部材７にインピーダンス測定用の電極１ａ、１ｂと、光方式による測定のための光照射部２と光センサ３とを設け、この支持部材７を被測定者の胴部Ｗに沿って配置して装着する際の押圧を調整する押圧調整手段を設けてある。
【００５６】
具体的には変形性を有する帯状の支持部材７が内部が中空部２５となったチューブにより構成してあり、中空部２５に押圧調整手段を構成するエア供給手段（図示せず）によりエアを供給することができるようになっている。この支持部材７の内面部には電極１ａ、１ｂと、光照射部２と光センサ３とを設けてある。また、図示を省略しているが支持部材７には圧力センサが設けてある。
【００５７】
本実施形態においては、チューブにより構成した帯状の支持部材７を被測定者の胴部Ｗの周方向に沿って配置して装着し、その後、押圧調整手段を構成するエア供給手段によりエアを支持部材７の中空部２５内に供給し、圧力センサにより胴部Ｗへの支持部材７の接触圧を測定して押圧調整手段を構成するエア供給手段からのエアの供給量を調整することで、電極１ａ、１ｂ、光照射部２、光センサ３の胴部Ｗに対する接触圧をインピーダンス法、光方式それぞれに適した接触圧となるように制御することができるようになっている。これによりインピーダンスの測定と、光照射による皮下脂肪の厚さの測定をそれぞれ被測定者の胴部Ｗへの最適の押圧状態で実施することができ、測定精度が向上するものである。
【図面の簡単な説明】
【００５８】
【図１】本発明のインピーダンス測定装置によるインピーダンス測定の概略構成図である。
【図２】同上の光式皮下脂肪測定装置による皮下脂肪厚の測定の概略構成図である。
【図３】同上の制御ブロック図である。
【図４】本発明の他の実施形態の概略構成図である。
【図５】本発明の更に他の実施形態の斜視図である。
【図６】本発明の更に他の実施形態の要部斜視図である。
【図７】本発明の更に他の実施形態の要部斜視図である。
【符号の説明】
【００５９】
１  電極
２  光照射部
３  光センサ
４  インピーダンス測定手段
５  皮下脂肪厚測定手段
６  体脂肪推定手段
７  支持部材
Ｗ  胴部
【図１】
2006204450.tif 000003
【図２】
2006204450.tif 000004
【図３】
2006204450.tif 000005
【図４】
2006204450.tif 000006
【図５】
2006204450.tif 000007
【図６】
2006204450.tif 000008
【図７】
2006204450.tif 000009